(57)【特許請求の範囲】
【請求項１】
スキューバダイバーが携帯する携帯用救難用具であって、
外筒（１０）と、
最大径をもつ第１の筒状部（２１）から最小径をもつ第Ｎ（Ｎは２以上の整数）の筒状部（２７）までのＮ段式の筒状部（２１〜２７）から成り、収納時は前記外筒内に前記外筒の内壁から所定の間隙をもって入れ子式に収納され、振り出すことにより釣竿式に延伸する延伸部材（２０）と、
一端が前記延伸部材の前記第１の筒状部に軸方向に沿って固定され、収納時は前記間隙内で前記第１の筒状部に巻き付けられており、前記延伸部材を延伸させて前記外筒を取り外したときに他端を自由端としてシート状に展開する、電磁波を反射する素材から成る電磁波反射シート（３０）とを有し、
前記延伸部材の前記第Ｎの筒状部には、振り出し方向の前記外筒の底部側に引手綱（４０）が取り付けてある携帯用救難用具。
【請求項２】
前記延伸部材の素材はグラスファイバーから成り、前記電磁波反射シートの素材は樹脂にアルミ箔を貼り付けたものから成る、請求項１に記載の携帯用救難用具。
【発明の詳細な説明】
【０００１】
【発明の属する技術分野】
本発明は携帯用救難用具に関し、特に漂流しているときに船舶等のレーダーからの電磁波を反射して、レーダーに位置を通知させることが可能な携帯用救難用具に関する。
【０００２】
【従来の技術】
海で遊んでいたりしているときに、漂流してしまう危険（リスク）がある。例えば、スキューバダイミングをしていて、海に潜っていたが、海面上に浮上した場所が目的とする船舶とは遠く離れた位置であって、漂流してしまうことがある。このような場合、何等かの方法によって、自分の現在位置を相手に通知する必要がある。
【０００３】
従来から、このような漂流の際のセーフティンググッズ（救難用具）は種々提案され市販されている。最も普及しているのはブイを使う方法である。その１つである『シグナルフロート』という商品は、上部を光を受けて反射するリフレクターフィルムを装着したものである。また、『マーカーブイ』という商品は一体式のケースが付いた緊急時用のフロートである。
【０００４】
また、海面着色剤を使用した救難用具も知られている。これは漂流の中でも、空からの捜索が必要になったときに効果をもたらし、大型船からでも見えるようにするものである。そのような１つである『アクアマーカー』という商品は２５ｍプール相当の水面を着色することができる緊急グッズである。
【０００５】
さらに、漂流で夜間になってしまったときの救難用具として、ストロボのように強い光を放つライトを使用した商品も知られている。例えば、『セイフティ・マークストロボ』という商品は、掌にすっぽりと収まるコンパクトさで、水に濡れると自動的にＯＮとなる点滅式ライトである。『テクトタイト  マークライト』という商品は、単３電池で連続点灯時間が約７時間もある。その他に、２段階の発光ができる『ストロボライト  １Ｋ１０６４』という商品や、『ＳＬ−１ストロボライト』という商品もある。
【０００６】
なお、救難用具ではないが、ボート等に固定して相手船舶が遠方より確認し、回避して船舶の航行に支障のない様にした商品として『レーダーリフレクター』というものが知られている。レーダーリフレクターにも種々のものがあり、ここでは、２種類のものについて簡単に述べる。第１の従来のレーダーリフレクターは、反射面積が３ｍ2 で、観測距離が３海里以上、サイズが１００φ×３８０ｍｍのものである。第２の従来のレーダーリフレクターは、４４枚の反射板が５０ｍｍの高さでそれぞれ４５°ツイストし、２．５海里に近付けば相手船舶のレーダーにははっきりした映像が映り、サイズが１００φ×３８０ｍｍで、重量が４６０ｇのものである。
【０００７】
【発明が解決しようとする課題】
ブイを使う方法は、視覚的に訴える方法であるので昼間しか使用できず、またあまり遠く離れてしまうと効果が薄れてしまうという欠点がある。海面着色剤を使用する方法も、昼間においてしかその効果を発揮できないという欠点がある。ライトを使用したものは、夜間においてしかも光が到達する範囲内でしかその効果を発揮できないという欠点がある。このように、現在市販されている救難用具は一長一短があり、昼間と夜間の両方において効果を期待することができない。
【０００８】
また、レーダーリフレクターという商品は、上述したように、本来、ボート等に固定して使用するものであり、人が携帯するにはサイズが大き過ぎて、救難用具として使用することは困難である。
【０００９】
したがって、本発明の課題は、上述した従来の問題点に鑑み、昼間および夜間の両方において使用可能な、携帯用救難用具を提供することにある。
【００１０】
【課題を解決するための手段】
本発明によれば、スキューバダイバーが携帯する携帯用救難用具であって、外筒と、最大径をもつ第１の筒状部から最小径をもつ第Ｎ（Ｎは２以上の整数）の筒状部までのＮ段式の筒状部から成り、収納時は前記外筒内に前記外筒の内壁から所定の間隙をもって入れ子式に収納され、振り出すことにより釣竿式に延伸する延伸部材と、 一端が前記延伸部材の前記第１の筒状部に軸方向に沿って固定され、収納時は前記間隙内で前記第１の筒状部に巻き付けられており、前記延伸部材を延伸させて前記外筒を取り外したときに他端を自由端としてシート状に展開する、電磁波を反射する素材から成る電磁波反射シートとを有し、前記延伸部材の前記第Ｎの筒状部には、振り出し方向の前記外筒の底部側に引手綱が取り付けてある携帯用救難用具が得られる。
【００１２】
【作用】
外筒の内部に電磁波を反射する電磁波反射シートを延伸部材に巻き付けた状態で収納しており、延伸部材を振り出すことにより、延伸部材が釣竿式に延伸して、収納された電磁波反射シートがシート形状に展開する。これを旗のように振ることにより、電磁波反射シートは電磁波（マイクロ波）を反射するので、近くを航行している船舶のレーダー上に携帯用救難用具を携帯している人の位置を映し出すことができる。
【００１３】
【発明の実施の形態】
以下、図面を参照して、本発明の実施の形態について詳細に説明する。
【００１４】
図１を参照して、本発明の一実施形態による携帯用救難用具について説明する。図１において、（Ａ）は収納時の状態を示し、（Ｂ）は展開時（延伸時）の状態を示す。
【００１５】
図示の携帯用救難用具は外筒１０と延伸部材２０と電磁波反射シート３０と引手綱４０とから構成されている。外筒１０の寸法は、長さＬ0 で、外径がＤ0 であり、内部に延伸部材２０と電磁波反射シート３０とを収納する。
【００１６】
延伸部材２０は、最大径の第１の筒状部２１から最小径の第７の筒状部２７までの７段式の第１乃至第７の筒状部２１，２２，２３，…，２７から構成されている。第１乃至第７の筒状部２１〜２７の各々の長さは、外筒１０の長さＬ0 と実質的に同じである。第１乃至第７の筒状部２１〜２７の外径は、それぞれ、Ｄ1 ，Ｄ2 ，Ｄ3 ，…，Ｄ7 であり、この順序に小さくなっている。勿論、第１の筒状部２１の外径Ｄ1 は外筒１０の外径Ｄ0 （詳細には、外筒１０の内径）よりも小さい。収納時、延伸部材２０は、外筒１０内に外筒１０の内壁から所定の間隙をもって入れ子式に収納されている。第１乃至第７の筒状部２１〜２７は、互いに隣接するもの同士の間で軸方向に沿って摺動可能である。図１の矢印Ａの方向に振り出すことにより、延伸部材２０は釣竿式に延伸する。すなわち、延伸部材２０は７段式の第１乃至第７の筒状部２１〜２７から成るので、最大限に延伸した時の延伸部材２０の長さＬe は外筒１０の長さＬ0 の約７倍にもなる（Ｌe ＝７Ｌ0 ）。
【００１７】
電磁波反射シート３０は電磁波を反射する素材から成る。電磁波反射シート３０の一端は延伸部材２０の最大径Ｄ1 をもつ第１の筒状部２１に軸方向に沿って固定されている。収納時、電磁波反射シート３０は上記間隙内で第１の筒状部２１に巻き付けられている。延伸部材２０を延伸させたとき、図１（Ｂ）に示されるように、電磁波反射シート３０はその他端を自由端としてシート状に展開する。展開したときの電磁波反射シート３０の幅（横寸法）Ｗd は縦寸法Ｌ0 の約５倍にもなる。
【００１８】
引手綱４０は、延伸部材２０の振り出し方向の外筒１０の底部側で、延伸部材２０の最小径Ｄ7 をもつ第７の筒状部２７に取り付けられている。
【００１９】
このような構成において、収納時（図１（Ａ））には、外筒１０内に延伸部材２０と電磁波反射シート３０が収納されている。この状態では、引手綱４０が外筒１０の底部から引き出されている。この状態で、スキューバダイバー（図示せず）はこの携帯用救難用具を携帯している。
【００２０】
この携帯用救難用具を携帯しているスキューバダイバーが漂流してしまったとする。その場合、スキューバダイバーは、図１（Ａ）の矢印Ａで示す方向へ、引手綱４０により外筒１０から延伸部材２０を引き出す。すると、図１（Ｂ）に示すように、延伸部材２０は最大で長さＬe まで延伸する。その後、外筒１０を取り外すことにより、図１（Ｂ）に示すように、電磁波反射シート３０はシート状に幅Ｗd まで展開する。スキューバダイバーは延伸部材２０の第７の筒状部２７の下端を持って、旗を振るようにこの携帯用救難用具を振れば良い。
【００２１】
電磁波反射シート３０は電磁波を反射するので、このスキューバダイバーの近く（例えば、１．５海里以内）を航行している船舶は、そのレーダーにスキューバダイバーの現在位置を映し出すことができる。
【００２２】
【実施例】
上記携帯用救難用具の寸法は次の通りである。外筒１０の長さＬ0 は約２００ｍｍで、外半Ｄ0 は約２０ｍｍである。第１、第２、第３および第７の筒状部２１，２２，２３，２７の外径Ｄ1 ，Ｄ2 ，Ｄ3 ，Ｄ7 は、それぞれ、約１５．０ｍｍ，約１３．５ｍｍ，約１２．０ｍｍ，約６．０ｍｍである。最大限に延伸した時の延伸部材２０の長さＬe は約１，４００ｍｍである。展開したときの電磁波反射シート３０の幅（横寸法）Ｗd は約１．０００ｍｍである。
【００２３】
延伸部材２０および電磁波反射シート３０の素材は次の通りである。延伸部材２０の素材としてはグラスファイバーを使用でき、釣竿等に使用されているものと同様の素材を使用できる。電磁波反射シート３０の素材としては、樹脂にアルミ箔を貼り付けたものを使用できるが、電磁波（特にマイクロ波）を効率良く反射する素材であれば良い。
【００２４】
本発明は上述した実施の形態に限定せず、発明の趣旨を逸脱しない範囲内で種々の変形が可能である。例えば、延伸部材２０の段数は７に限定せず、２以上の任意の数を選択できる。
【００２５】
【発明の効果】
以上の説明から明らかなように、本発明による携帯用救難用具は、外筒の内部に電磁波を反射する電磁波反射シートを延伸部材に巻き付けた状態で収納しており、漂流時に延伸部材を振り出すことにより、延伸部材が釣竿式に延伸して、収納された電磁波反射シートがシート形状に展開するように構成している。したがって、電磁波反射シートをシート形状に展開させた状態で、携帯用救難用具を旗のように振ることにより、電磁波反射シートは電磁波（マイクロ波）を反射するので、近くを航行している船舶のレーダー上に携帯用救難用具を携帯しているスキューバダイバーの位置を映し出すことができる。また、携帯時には延伸部材と電磁波反射シートとを外筒内に収納しておき、必要になったときのみ、延伸部材を延伸し電磁波反射シートを展開すれば良いので、携帯時にはサイズが小さく、コンパクトであるという利点がある。さらに、引手綱を、延伸部材の振り出し方向の外筒の底部側で、延伸部材の最小径をもつ筒状部に取り付けることにより、延伸部材の振り出しを容易に行うことができる。
【図面の簡単な説明】
【図１】本発明の一実施形態による携帯用救難用具の構成を示す図で、（Ａ）は収納時の状態を示し、（Ｂ）は展開時（延伸時）の状態を示す。
【符号の説明】
１０    外筒
２０    延伸部材
２１，２２，２３，２７    筒状部
３０    電磁波反射シート
４０    引手綱
【図１】
0003871372.tif 000002